(57)【要約】      （修正有）【課題】複数のマッサージ部品を設置し、様々な異なるマッサージ方法を行うほか、加熱できる手のひらマッサージ可能装置を提供する。【解決手段】主に手のひら型器材１、マッサージ部品２で構成する手のひらマッサージ可能装置であり、手のひら型器材に含まれるのは親指部１１、指先部１２、手のひら部１３である。該親指部、指先部、手のひら部はそれぞれ一つの収納スペースを形成し、及び、複数のマッサージ部品をそれぞれ該親指部の末端、指先の末端及び手のひら部に設置する。該親指部の末端に一つのマッサージ部品を設置し、指先部末端に複数のマッサージ部品を設置し、該手のひらと親指部、指先部が連結する部分に、少なくとも一つのマッサージ部品を設置する。【選択図】図２
0003175291.tif 000002
【実用新案登録請求の範囲】
【請求項１】
手のひら型器材、マッサージ部品を含み、
手のひら型器材に含まれるのは親指部、指先部、手のひら部であり、
該指先部に一つの末端を具有し、
該親指部に一つの末端を具有し、及び、
該手のひら部はそれぞれ該親指部の末端及び該指先部の末端が連結し、手袋の形を形成し、該親指部、指先部、手のひら部はそれぞれ一つの収納スペースを形成し、及び、
複数のマッサージ部品をそれぞれ該親指部の末端、指先の末端及び手のひら部に設置し、
該親指部の末端に一つのマッサージ部品を固定或いはセパレートして設置し、指先部末端に複数のマッサージ部品を固定或いはセパレートして設置し、該手のひら部と親指部、該手のひら部と該指先部が連結する部分に、少なくとも一つのマッサージ部品を固定或いはセパレートして設置することを特徴とする手のひらマッサージ可能装置。  
【請求項２】
前記手のひら部に設置するマッサージ部品はローラータイプのマッサージ器であり、該ローラータイプのマッサージ器に含まれるのは第一ローラー、第二ローラー及び該第一ローラーと該第二ローラーを接続する骨組みであることを特徴とする請求項１記載の手のひらマッサージ可能装置。
【請求項３】
前記第一ローラー及び第二ローラーはそれぞれ一つの内部モーターで駆動し、該ローラーを回転することを特徴とする請求項２記載の手のひらマッサージ可能装置。
【請求項４】
前記該ローラータイプマッサージ器に更に含まれるのは、少なくとも該第一ローラー及び第二ローラーを連結する連結部品であり、且つ該連結部品は該ローラーの回転を駆動することを特徴とする請求項２記載の手のひらマッサージ可能装置。
【請求項５】
前記マッサージ部品と該収納スペースの間に、少なくとも一つの隔離層を具有することを特徴とする請求項２記載の手のひらマッサージ可能装置。
【請求項６】
前記隔離層と該収納スペースの間に、少なくとも一つの断熱層を具有することを特徴とする請求項５記載の手のひらマッサージ可能装置である。
【請求項７】
前記マッサージ部品は少なくとも一つの気嚢であり、各気嚢はインフレータブル気嚢であり、該気嚢に空気入れると、膨張して手のひら方向に押すことを特徴とする請求項１記載の手のひらマッサージ可能装置。
【請求項８】
前記マッサージ部品と該収納スペースの間に、少なくとも一つの隔離層を具有することを特徴とする請求項７記載の手のひらマッサージ可能装置。
【請求項９】
前記隔離層と該収納スペースの間に、少なくとも一つの断熱層を具有することを特徴とする請求項８記載の手のひらマッサージ可能装置。
【考案の詳細な説明】
【技術分野】
【０００１】
本考案は、手のひらマッサージ可能装置の構造に関し、特に手のひらの末端をマッサージする際に用いる手のひらマッサージ可能装置の構造に関する。
【背景技術】
【０００２】
図１に示すように、一般的に人の手のひら或いは足の指先部末端は血液循環が悪くなりやすいため、年配の方或いは代謝の悪い人にとって、末梢の血液循環不良の症状が生じ易い。このような症状は、普段から適切なマッサージを行うだけで、末梢の血液循環をよくすれば、有効的に改善することができる。
【０００３】
しかし、現在市場では四肢の末梢神経対象のマッサージ関連製品がないため、ユーザーにとって、有効的に四肢の末梢神経をマッサージするのは困難があるため、ユーザーが使用しやすく、関連する症状を改善する適切な器材を案出する必要があった。
【先行技術文献】
【特許文献】
【０００４】
【特許文献１】特開２００７−２８９４４５号公報
【考案の概要】
【考案が解決しようとする課題】
【０００５】
本考案の目的は、複数のマッサージ部品を設置し、様々な異なるマッサージ方法を行うほか、加熱できるため、マッサージ時の快適さを増すことのできる手のひらマッサージ可能装置を提供することにある。
【課題を解決するための手段】
【０００６】
上述の目的を解決するために、本考案は手のひらマッサージ可能装置を提供するものである。本考案は手のひら型器材であり、それに含まれるのは、末端に一つの親指部及び指先部、手のひら部であり、それぞれ該親指部の末端及び該指先部の末端が連結し、手袋の形を形成する。また、該親指部、指先部、手のひら部はそれぞれ一つの収納スペースを形成する。
【０００７】
及び、複数のマッサージ部品をそれぞれ該親指部の末端、指先の末端及び手のひら部に設置する。
該親指部の末端に一つのマッサージ部品を設置し、指先部末端に複数のマッサージ部品を設置し、該手のひらと親指部、指先部が連結する部分に、少なくとも一つのマッサージ部品を設置する。
【０００８】
（１）手のひら型器材、マッサージ部品を含み、
手のひら型器材に含まれるのは親指部、指先部、手のひら部であり、
該指先部に一つの末端を具有し、
該親指部に一つの末端を具有し、及び、
該手のひら部はそれぞれ該親指部の末端及び該指先部の末端が連結し、手袋の形を形成し、該親指部、指先部、手のひら部はそれぞれ一つの収納スペースを形成し、及び、
複数のマッサージ部品をそれぞれ該親指部の末端、指先の末端及び手のひら部に設置し、
該親指部の末端に一つのマッサージ部品を固定或いはセパレートして設置し、指先部末端に複数のマッサージ部品を固定或いはセパレートして設置し、該手のひら部と親指部、該手のひら部と該指先部が連結する部分に、少なくとも一つのマッサージ部品を固定或いはセパレートして設置することを特徴とする手のひらマッサージ可能装置。  
（２）前記手のひら部に設置するマッサージ部品はローラータイプのマッサージ器であり、該ローラータイプのマッサージ器に含まれるのは第一ローラー、第二ローラー及び該第一ローラーと該第二ローラーを接続する骨組みであることを特徴とする（１）記載の手のひらマッサージ可能装置。
（３）前記第一ローラー及び第二ローラーはそれぞれ一つの内部モーターで駆動し、該ローラーを回転することを特徴とする（２）記載の手のひらマッサージ可能装置。
（４）前記該ローラータイプマッサージ器に更に含まれるのは、少なくとも該第一ローラー及び第二ローラーを連結する連結部品であり、且つ該連結部品は該ローラーの回転を駆動することを特徴とする（２）記載の手のひらマッサージ可能装置。
（５）前記マッサージ部品と該収納スペースの間に、少なくとも一つの隔離層を具有することを特徴とする（２）記載の手のひらマッサージ可能装置。
（６）前記隔離層と該収納スペースの間に、少なくとも一つの断熱層を具有することを特徴とする（５）記載の手のひらマッサージ可能装置である。
（７）前記マッサージ部品は少なくとも一つの気嚢であり、各気嚢はインフレータブル気嚢であり、該気嚢に空気入れると、膨張して手のひら方向に押すことを特徴とする（１）記載の手のひらマッサージ可能装置。
（８）前記マッサージ部品と該収納スペースの間に、少なくとも一つの隔離層を具有することを特徴とする（７）記載の手のひらマッサージ可能装置。
（９）前記隔離層と該収納スペースの間に、少なくとも一つの断熱層を具有することを特徴とする（８）記載の手のひらマッサージ可能装置。
【考案の効果】
【０００９】
本考案の効果は、ユーザーが手のひらの末端に様々な異なるマッサージ方法を行うことができるほか、同時に加熱することで、マッサージ時の快適さを増すことができる。
【図面の簡単な説明】
【００１０】
【図１】手のひら末端の略図である。
【図２】本考案の第１最良実施例の略図である。
【図３】本考案のマッサージ部品のインフレータブル気嚢の断面略図である。
【図４】本考案のマッサージ部品ローラータイプマッサージ器内部のモーター駆動上視図である。
【図５】本考案のマッサージ部品ローラータイプマッサージ器内部のモーター駆動側視図である。
【図６】本考案のマッサージ部品ローラータイプマッサージ器外部のモーター駆動連結部品の上視図である。
【図７】本考案のマッサージ部品ローラータイプマッサージ器外部のモーター駆動連結部品の側視図である。
【図８】本考案の断熱層の断面略図である。
【考案を実施するための形態】
【００１１】
本考案による手のひらマッサージ可能装置の構造を明確に示すために図に沿って詳細な説明を行う。
【００１２】
図２に示すのは、本考案の第一実施例であり、それに含まれるのは手のひら型器材１及び複数のマッサージ部品２である。
【００１３】
該手のひら型器材１とは、軟性材質の包覆型手袋構造であり、ユーザーの手のひらを包むことができる。該手のひら型器材１に含まれるのは親指部１１、指先部１２、手のひら部１３及び隔離層１０である。該親指部１１、指先部１２はそれぞれ該手のひら部１３と連結し、手袋の形を形成する。よって、該親指部１１、指先部１２、手のひら部１３は一つの収納スペースを形成し、該隔離層１０はユーザーの手のひらを手のひら部１３と隔離するためのものである。
最良実施法は、ユーザーが該手のひら型器材１を使用する際、親指を該親指部１１の収納スペースに、ほかの指を該指先部１２の収納スペースに、手のひらを該手のひら部１３の収納スペース内に入れる。
【００１４】
該マッサージ部品２をそれぞれ該親指部１１、指先部１２及び手のひら部１３の間に分布し、該親指部１１の末端１１１に一つ、該指先部１２の末端１２１に四つのマッサージ部品２を設置し、且つ該親指部１１と該指先部１２の末端とは該手のひら部１３と離れた別端とし、該手のひら部１３に少なくとも一つのマッサージ部品２を設置する。
【実施例】
【００１５】
最良実施法は、該手のひら部１３の該親指部１１、該指先部１２と接続する部分に近いところに、複数のマッサージ部品２を丸い形で設置することが、ベストなマッサージ効果を得ることができる。
【００１６】
図３に示すように、該手のひら型器材１の隔離層１０とユーザーの手の甲が接触する表面を第一表面９０１とし、手のひらと接触する表面を第二表面９０２とする。本最良実施例では、各マッサージ部品２はそれぞれ該第一表面９０１、第二表面９０２のインフレータブル気嚢２１に位置し、ユーザーの手のひらを該収納スペースに入れ、且つ各気嚢２１に空気を入れると、各気嚢２１は手のひらの対応する位置を押す効果が生じる。少し時間を置いてから各気嚢１の空気を出すと、各気嚢２１は手のひらを押す力が無くなる。よって、各気嚢２１に異なる速さで繰り返し空気を入れる、出すことで、ユーザーの手のひらをマッサージする効果を得る。
【００１７】
最良実施例は、該第二表面９０２に位置するインフレータブル気嚢２１にいずれも多くの突起物を具有する。当該目的は、マッサージ効果を増やすほか、第二表面９０２に設置することで、ユーザーが使用する際に比較的快適となる。
【産業上の利用可能性】
【００１８】
該インフレータブル気嚢２１に空気を入れる方法に変化を持たすこともできる。例えば、該第一表面９０１に位置する気嚢２１に空気を入れる際、同時に該第二表面９０２に位置する気嚢２１の空気を出す。該第一表面９０１の気嚢に空気を飽和するまで入れ、且つ該第二表面９０２の気嚢２１の空気を完全に抜いでから、該第一表面９０１の気嚢２１の空気を抜き、同時に該第二表面９０２の気嚢２１に空気を入れるなど、このように繰り返すことで、手で揉む動作を真似ることになり、マッサージの効果が増す。
【００１９】
本最良実施例において、該第二表面９０２に位置する気嚢２１を該手のひら型器材１とセパレートして設置することができ、交換しやすくなる。
【００２０】
本考案の第二実施例が第一実施例と異なる部分は：図４に示すように、本最良実施例の該第二表面９０２に位置するマッサージ部品２はローラータイプのマッサージ器２２であり、該ローラータイプのマッサージ器２２に含まれるのは第一ローラー２２１、第二ローラー２２２及び該第一ローラー２２１と該第二ローラー２２２を接続する骨組み２２３である。該第一ローラー２２１と該第二ローラー２２２の面にいずれも数個の突起粒２２０を具有するため、該ローラータイプマッサージ２２を手のひらと平行する方向に該第二表面９０２と一つの隔離層１０の間に設置し、且つ第一ローラー２２１と該第二ローラー２２２が第二表面９０２と該隔離層１０の間で回転し、該収納スペースに手のひらを入れると、マッサージの効果を得ることができる。
【００２１】
図４及び図５に示すように、該ローラー２２１、２２２の内部にそれぞれ一つの内部モーター２００を設けて、軸心と繋いで回転する。或いは図６及び図７に示すように、一つの連結部品２９０(例えばキャタピラー)を用いて、該第一、第二ローラー２２１、２２２を連結し、同時に該連結部品２９０は外部モーター(図に未掲載)によって該ローラー２２１、２２２を軸心と繋いで回転する。最良実施例では、各突起粒２２０は一つの小さな鉄ボールであり、該ローラー２２１、２２２の表面に設置し、且つ該突起粒２２０はいずれも狭い範囲内で滑ることができる。
【００２２】
このほか、本実施例では、該ローラータイプマッサージ器２２を該手のひら型器材１とセパレートして設置することができ、交換しやすくなる。
【００２３】
本考案の第三最良実施例が第一、第二最良実施例と異なる部分は：図８に示すように、本最良実施例は該収納スペースと該隔離層１０の間に断熱層１９を含む。例えば、該気嚢２１に空気を入れる際、該断熱層１９と該隔離層１０の間を加熱することができ、ユーザーは手のひらのマッサージを受けると同時に温めることができ、快適さが増す。
【００２４】
最良実施例では、該断熱層１９の材質は軽くて薄いものを使うことで、熱を適度にユーザーの手のひらに伝えることができ、且つ該マッサージ部品２のユーザーの手のひらをマッサージする効果に影響しない。つまり該気嚢２１にある突起粒、或いは該ローラー２２１、２２２は尚も適度にユーザーの手のひらをマッサージすることができる。
【００２５】
本考案はユーザーの手のひら末端に様々な異なるマッサージ方法を行うことができると同時に、加熱してマッサージ時の快適さを増すことができ、確実に本考案の目的に達することができる。
【００２６】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２７】
１  手のひら型器材
１１  親指部
１１１  末端
１２  指先部
１２１  末端
１３  手のひら部
１９  断熱層
１０  隔離層
２  マッサージ部品
２１  気嚢
２２  ローラータイプマッサージ器
２２１  第一ローラー
２２２  第二ローラー
２２３  骨組み
２９０  連結部品
２００  内部モーター
９０１  第一表面
９０２  第二表面
【図１】
0003175291.tif 000003
【図２】
0003175291.tif 000004
【図３】
0003175291.tif 000005
【図４】
0003175291.tif 000006
【図５】
0003175291.tif 000007
【図６】
0003175291.tif 000008
【図７】
0003175291.tif 000009
【図８】
0003175291.tif 000010
【手続補正書】
【提出日】平成24年2月29日(2012.2.29)
【手続補正１】
【補正対象書類名】実用新案登録請求の範囲
【補正対象項目名】請求項２
【補正方法】変更
【補正の内容】
【請求項２】
前記手のひら部に設置するマッサージ部品はローラータイプのマッサージ器であり、該ローラータイプのマッサージ器に含まれるのは第一ローラー、第二ローラー及び該第一ローラーと該第二ローラーの回転軸を相互に接続する骨組みであることを特徴とする請求項１記載の手のひらマッサージ可能装置。
【手続補正２】
【補正対象書類名】実用新案登録請求の範囲
【補正対象項目名】請求項４
【補正方法】変更
【補正の内容】
【請求項４】
前記該ローラータイプマッサージ器に更に含まれるのは、少なくとも該第一ローラー及び第二ローラーを無限軌道状に連結する連結部品であり、且つ該連結部品は該ローラーの回転を駆動することを特徴とする請求項２記載の手のひらマッサージ可能装置。